(57)【特許請求の範囲】
【請求項１】
側方に向けて開口する部材挿入口の上側に覆い被さり、その後端側を揺動自在に軸支するとともにその先端側に前記部材挿入口を開閉する覆い部を設けてなる蓋部材と、
前記蓋部材の軸支部分に対してこの蓋部材全体を前記部材挿入口への部材の挿入方向に向けてスライドさせるスライド機構と、
前記蓋部材の覆い部によって部材挿入口を覆った状態で係止するとともに覆い部を部材挿入口の手前側にスライド移動することで前記係止を解除する係止機構と、
前記蓋部材を開方向に弾発する第一弾発手段と、
前記蓋部材を部材挿入口の奥側に向けて移動するように弾発することで閉じた状態の蓋部材を前記係止機構に係止させる第二弾発手段と、
蓋部材を閉じた状態で部材挿入口の手前側への蓋部材のスライドを阻止する係止手段と、
前記係止手段による係止を解除する係止解除手段と、を具備することを特徴とする部材挿入口開閉機構。
【請求項２】
前記係止手段は、部材挿入口側の部材に設けた係止爪に、蓋部材に設けた係止片を係止させることで構成され、
一方前記係止解除手段は、前記蓋部材に取り付けられて蓋部材のスライド方向にスライドするロック解除釦と、前記ロック解除釦を前記部材挿入口の奥側に向けて弾発する第三弾発手段と、前記ロック解除釦と一体に移動し前記ロック解除釦を第三弾発手段の弾発力に抗して前記部材挿入口の手前側にスライドすることで前記係止手段の係止爪を押圧して蓋部材に設けた係止片との係止を解除する押圧部と、を具備して構成されていることを特徴とする請求項１記載の部材挿入口開閉機構。
【請求項３】
前記蓋部材は部材挿入口側の部材に取り付けた軸によって揺動自在に軸支されており、
また前記第一弾発手段は、ねじりコイルバネのコイル部を前記軸に挿入するとともに、コイル部両側から引き出した当接部をそれぞれ蓋部材と部材挿入口側の部材に弾接させることで構成されていることを特徴とする請求項１記載の部材挿入口開閉機構。
【請求項４】
前記部材挿入口開閉機構には、蓋部材が所定の開度まで開いた際に、蓋部材と部材挿入口側の部材とを開度規制棒で係止することで蓋部材の開度を規制する開度規制手段を設けたことを特徴とする請求項１記載の部材挿入口開閉機構。
【発明の詳細な説明】
【０００１】
【発明の属する技術分野】
本発明は、記録媒体等の部材を着脱する電子部品の部材挿入口に設けられる部材挿入口開閉機構に関するものである。
【０００２】
【従来の技術】
従来、ビデオカメラやその他各種電子部品の中には、記録媒体（例えばメモリカード）を装着するための部材挿入口を設けたものがある。そしてこの部材挿入口には、挿入した記録媒体を保護したり、ほこりなどが内部に入らないようにするため、蓋が取り付けられる。
【０００３】
この蓋は通常は部材挿入口を覆ってこれを閉じているが、部材挿入口に記録媒体を着脱する際は容易且つ確実に開閉動作が行なわれる必要がある。そして蓋の開閉を容易且つ確実に操作できるようにするため、蓋にロック解除釦を取り付けておき、ロック解除釦を操作すれば蓋が自動的に上方に持ち上がって開き、一方持ち上がった蓋を押し下げるだけで自動的に閉じる構造のものが望まれていた。
【０００４】
しかしながら上記機能を有する部材挿入口開閉機構において、動作がスムーズで且つ確実に行なえるものはなかった。
【０００５】
【発明が解決しようとする課題】
本発明は上述の点に鑑みてなされたものでありその目的は、その開閉動作がスムーズ且つ確実に行なえる部材挿入口開閉機構を提供することにある。
【０００６】
【課題を解決するための手段】
上記問題点を解決するため本発明にかかる部材挿入口開閉機構は、側方に向けて開口する部材挿入口の上側に覆い被さり、その後端側を揺動自在に軸支するとともにその先端側に前記部材挿入口を開閉する覆い部を設けてなる蓋部材と、前記蓋部材の軸支部分に対してこの蓋部材全体を前記部材挿入口への部材の挿入方向に向けてスライドさせるスライド機構と、前記蓋部材の覆い部によって部材挿入口を覆った状態で係止するとともに覆い部を部材挿入口の手前側にスライド移動することで前記係止を解除する係止機構と、前記蓋部材を開方向に弾発する第一弾発手段と、前記蓋部材を部材挿入口の奥側に向けて移動するように弾発することで閉じた状態の蓋部材を前記係止機構に係止させる第二弾発手段と、蓋部材を閉じた状態で部材挿入口の手前側への蓋部材のスライドを阻止する係止手段と、前記係止手段による係止を解除する係止解除手段と、を具備することを特徴とする。
【０００７】
また本発明は、前記係止手段が、部材挿入口側の部材に設けた係止爪に、蓋部材に設けた係止片を係止させることで構成され、一方前記係止解除手段は、前記蓋部材に取り付けられて蓋部材のスライド方向にスライドするロック解除釦と、前記ロック解除釦を前記部材挿入口の奥側に向けて弾発する第三弾発手段と、前記ロック解除釦と一体に移動し前記ロック解除釦を第三弾発手段の弾発力に抗して前記部材挿入口の手前側にスライドすることで前記係止手段の係止爪を押圧して蓋部材に設けた係止片との係止を解除する押圧部と、を具備して構成されていることを特徴とする。
【０００８】
また本発明は、前記蓋部材が部材挿入口側の部材に取り付けた軸によって揺動自在に軸支されており、また前記第一弾発手段は、ねじりコイルバネのコイル部を前記軸に挿入するとともに、コイル部両側から引き出した当接部をそれぞれ蓋部材と部材挿入口側の部材に弾接させることで構成されていることを特徴とする。
【０００９】
また本発明は、前記部材挿入口開閉機構には、蓋部材が所定の開度まで開いた際に、蓋部材と部材挿入口側の部材とを開度規制棒で係止することで蓋部材の開度を規制する開度規制手段を設けたことを特徴とする。
【００１０】
【発明の実施の形態】
以下、本発明の実施の形態を図面を参照して詳細に説明する。
図１は本発明の一実施形態にかかる部材挿入口開閉機構１の要部側断面図である。また図２は部材挿入口開閉機構１を上側から見た分解斜視図である。両図に示すようにこの部材挿入口開閉機構１は、側方に向けて開口する部材挿入口１３を有する取付部材１０と、取付部材１０の上に覆い被さるように取り付けられる蓋部材４０と、第一弾発手段１００と、第二弾発手段１１０と、軸１２０と、開度規制手段１３０とを具備して構成されている。以下各構成部品について説明する。
【００１１】
取付部材１０はモールド樹脂板製であり、その上面側に設けた凹部を蓋部材収納部１１とし、蓋部材収納部１１の下面側に設けた凹部を部材収納部１２とし、さらに部材収納部１２の一端（取付部材１０の側面）に部材挿入口１３を設けている。部材収納部１２及び部材挿入口１３の寸法・形状は部材挿入口１３から部材（この実施形態ではメモリスティック等の記録媒体なので以下この実施形態においては「記録媒体」という）２００を挿入・収納できる寸法・形状に形成されている。
【００１２】
次に蓋部材収納部１１の上面中央には水平方向（下記する蓋部材４０がスライドする方向）であって、その先端が部材挿入口１３側を向くように突出する係止爪１５が設けられている。係止爪１５の上面には下記する蓋部材４０に設けた係止片８１を係止する凹状の係止部１５１と係止部１５１の後側（部材挿入口１３の反対側）に設けられる傾斜面からなる押圧面１５３とが形成されている。係止爪１５の根元部分の左右両側には下記する開度規制手段（以下この実施形態では「開度規制棒」という）１３０を回動自在に軸支する係止爪１７，１７が設けられ、係止爪１５の後側（部材挿入口１３の反対側）には下記する軸１２０を挿入してその中央部分を軸支する軸挿入部１９と、軸１２０の両端を挿入して軸支する軸端挿入部２１，２１（手前側の軸端挿入部２１は図２に図示せず）とが設けられている。軸挿入部１９と軸端挿入部２１，２１の間の位置には略Ｌ字状に突出して下記する第一弾発手段１００の２つのコイル部１０１，１０１をそれぞれ係止するバネ取付部２３，２３が設けられている。軸端挿入部２１とバネ取付部２３の間には下記する蓋部材４０に設けた当接支持部４９５，４９５を係止する凹状の係止部２５，２５（手前側の係止部２５は図２には図示せず）が設けられている。部材挿入口１３の両側には下記する蓋部材４０に設けた係止部３５，３５を係止する穴状の係合部２７，２７が設けられている。また蓋部材収納部１１の後側の面には開口２９が設けられている。さらに開口２９の後方の下面からは２つの柱状の係止部３１，３１が突出している。係止部３１，３１の下端面には固定用ネジ１４０，１４０螺合用の穴が設けられている。
【００１３】
図３は蓋部材４０を下側から見た斜視図である。同図及び図１，図２に示すように蓋部材４０は、モールド樹脂板製であって前記蓋部材収納部１１内に収納できる寸法形状の蓋部材本体４１を具備し、この蓋部材本体４１の上面後方に係止解除手段５０を構成するロック解除釦５１を設置し、その前方に回転式電子部品６０を構成する回転つまみ６１を設置し、さらにその前方側面に押釦式電子部品７０を構成する押釦７１を設置している。
【００１４】
回転つまみ６１の蓋部材本体４１を挟んだ下側には回転つまみ６１によって回転される回転式電子部品本体６３が設置され、また押釦式電子部品７０の下側には押釦７１によって押圧される押釦式電子部品本体７３が設置され、これら回転式電子部品本体６３と押釦式電子部品本体７３はそれらの裏側に取り付けられた金属板製の押え板８０と蓋部材本体４１の間に収納・設置されている。
【００１５】
押え板８０の後方中央には舌片状に切り欠いて下方向に突出する係止片８１が設けられ、また押え板８０の両側辺には下方向に折り曲げた折曲部８３，８３が設けられてその中に蓋部材４０のスライド方向（図１の矢印Ａ方向）に向かって延びる長穴からなる規制棒係止部８５，８５が設けられている。さらに押え板８０の係止片８１を設けた部分の上部には図１に示すように押え板８０と蓋部材本体４１とによって弾発手段収納部４３が形成され、その中にコイルバネ製の第三弾発手段９０が収納されている。
【００１６】
蓋部材本体４１の上面中央の後方には収納凹部４５が設けられ、収納凹部４５内には裏面に貫通する開口４７が設けられている。そしてこの収納凹部４５にはロック解除釦５１の釦部５５が収納される。釦部５５の下面には開口４７を通して下方向に突出して前方に向かう作用部５７が設けられ、作用部５７先端に設けたバネ座５８を前記第三弾発手段９０の一端に当接する。この作用部５７にはその下側に取付板１０２を取り付けることで作用部５７が開口４７から上方向に抜けないようにしている。また作用部５７の下面には前記取付部材１０の係止爪１５の押圧面１５３に当接するように突出する押圧部５９を設けている。
【００１７】
また蓋部材本体４１の部材挿入口１３側の一側辺には下方向に垂下して部材挿入口１３を覆う形状の覆い部３３が設けられている。覆い部３３の下辺両側には、取付部材１０の係合部２７，２７に挿入・係合する突起状の係止部３５，３５が設けられている。
【００１８】
一方蓋部材本体４１下面のロック解除釦５１の両側部には、ロック解除釦５１の移動方向と同じ方向に延びるレール状の第一弾発手段当接摺動部４８，４８が設けられ、蓋部材本体４１の両側辺の後端には下方向に向かう板状の支持部４９，４９が突出して設けられている。支持部４９には蓋部材４０のスライド方向に向かって延びる長穴からなる軸係止部４９１と、穴からなる第二弾発手段係止部４９３と、支持部４９の下辺後方の角部からなる当接支持部４９５とが設けられている。
【００１９】
次に第一弾発手段１００は、一本のバネ材に二つのコイル部１０１，１０１を設け、両コイル部１０１，１０１を連結する部分と、両コイル部１０１，１０１の終端側部分の両者をそれぞれ当接部１０３，１０５，１０５として構成している。
【００２０】
第二弾発手段１１０は、コイルバネの両端に引掛け部１１１，１１１を設けて構成されている。
【００２１】
開度規制棒１３０は、一本の棒部材の中央部１３１の両側を略「コ」字状に屈曲させてその中央部分を第一係合部１３５，１３５とし、さらにその両端を内側に折り曲げて第二係合部１３７，１３７として構成されている。
【００２２】
次にこの部材挿入口開閉機構１の組立方法を説明すると、まず予め開度規制棒１３０両端の第二係合部１３７，１３７をそれぞれ蓋部材４０の規制棒係止部８５，８５に挿入して係止しておく。そして第一弾発手段１００の二つのコイル部１０１，１０１をそれぞれ取付部材１０のバネ取付部２３，２３内に係止させ、取付部材１０の蓋部材収納部１１内に蓋部材４０の後側の部分を挿入して支持部４９に設けた軸係止部４９１を軸端挿入部２１と対向させた状態で軸１２０を軸端挿入部２１の外側から挿入して軸端挿入部２１，２１と軸係止部４９１，４９１とコイル部１０１，１０１内と軸挿入部１９とに挿入して蓋部材４０を取付部材１０に対して回動自在に軸支する。このとき第一弾発手段１００の一方の当接部１０３を取付部材１０に当接し、他方の当接部１０５，１０５を蓋部材４０下面の第一弾発手段当接摺動部４８，４８に当接し、これによって取付部材１０に対して蓋部材４０を開く方向に弾発する。
【００２３】
そして蓋部材４０を少し閉じて開度規制棒１３０の第一係合部１３５，１３５をそれぞれ取付部材１０の係止爪１７，１７にスナップイン方式で挿入して回動自在に係止する。
【００２４】
このとき蓋部材４０後端の第二弾発手段係止部４９３，４９３は取付部材１０の開口２９内に入り込むので、この第二弾発手段係止部４９３，４９３と係止部３１，３１間に第二弾発手段１１０両端の引掛け部１１１，１１１を引っ掛け、係止部３１，３１先端に固定用ネジ１４０，１４０をねじ込んで固定する。これによって固定用ネジ１４０，１４０の頭部１４１，１４１が引掛け部１１１の外れを防止する。
【００２５】
そして蓋部材４０の先端側部分を押し込んで蓋部材収納部１１内に収納すれば、図１に示すように蓋部材４０は第二弾発手段１１０によって奥側に引っ張られてその係止部３５，３５が取付部材１０の係合部２７，２７に挿入・係合して閉状態となる。このとき図１に示すように、係合部２７，２７と係止部３５，３５によって構成される係止機構は、蓋部材４０の覆い部３３によって部材挿入口１３を覆った状態で蓋部材４の揺動を阻止するように係止すると共に、覆い部３３を部材挿入口１３の手前側にスライド移動することで前記係止を解除するように構成されている。また係止爪１５と係止片８１によって構成される係止手段は、蓋部材４０を閉じた状態で部材挿入口１３の手前側への蓋部材４０のスライドを阻止するように構成されている。
【００２６】
なお実際には図１に示す回転式電子部品本体６３と押釦式電子部品本体７３とから引き出されたフレキシブル基板が蓋部材本体４１と押え板８０の間を通って蓋部材４０の下面側に引き出され、さらに開口２９を通って取付部材１０の内部に引き出されているが、図示の都合上、フレキシブル基板の記載は省略している。
【００２７】
次に部材挿入口開閉機構１の動作を説明する。まず図１において回転つまみ６１を回動すると回転式電子部品本体６３が駆動されてその電気的出力が変化する。一方押釦７１を押圧すると押釦式電子部品７３が駆動されてその電気的出力が変化する。
【００２８】
次に蓋部材４０を開くには、図５（ａ）に示すように、ロック解除釦５１の釦部５５を指で手前方向（矢印Ｂ方向）に押圧し、これによってロック解除釦５１が第三弾発手段９０の弾発力に抗してスライド移動し、押圧部５９が係止爪１５の押圧面１５３上を押圧しながら摺動することで係止爪１５を下降し、これによって係止爪１５の係止部１５１と蓋部材４０の係止片８１との係合を解除し、同時に釦部５５を第三弾発手段９０を圧縮しながら指で手前方向（矢印Ｂ方向）に移動しているのでこの力によって第二弾発手段１１０の弾発力に抗して蓋部材４０全体が手前方向に移動し、図５（ｂ）に示す状態になる。本実施形態においてはロック解除釦５１をスライド移動するだけで、ロックの解除だけでなく蓋部材４０を手前側に移動する力も付与できるので、一つの動作でロック解除と蓋部材４０のスライド移動を実現でき、スムーズな開動作が行なえる。特に本実施形態においてはロックが解除されるまではロック解除釦５１をスライド移動することで第三弾発手段９０を圧縮するので、蓋部材４０のロックが解除された際の第三弾発手段９０の弾発力によって蓋部材４０はあたかも自動的にスライド移動する感覚が生じ、好適である。
【００２９】
これによって蓋部材４０の係止部３５，３５が取付部材１０の係合部２７，２７から外れるので、前記指を離すことで図５（ｃ）に示すように第一弾発手段１００の弾発力によって蓋部材４０は上方に回動し、部材挿入口１３が開く。この状態で部材挿入口１３から記憶媒体２００を挿入（又は抜き出し）する。蓋部材４０の開度は開度規制棒１３０によって所定の開度に規制される。従来は蓋部材４０の開度規制はその軸支部分で行っていたが、開度規制を軸支部分で行うと印加モーメントが大きく、壊れ易かった。本発明の開度規制は、開度規制棒１３０を用い、この開度規制棒１３０によって蓋部材の軸支部分と覆い部３３の間の部分と取付部材１０との間を係止することで蓋部材４０の開度を規制するようにし、この開度規制手段にかかる印加モーメントを小さくしてその破壊を防止している。
【００３０】
このときロック解除釦５１は第三弾発手段９０によって元の位置に自動復帰している。またこのとき蓋部材４０の下面後端に設けた当接支持部４９５，４９５が取付部材１０の係止部２５，２５に係合するので、第二弾発手段１１０の弾発力に抗して蓋部材４０はこの位置に保持される。
【００３１】
そして今度は図５（ｃ）に示す状態から蓋部材４０の上部を指等で押圧すれば（矢印Ｃ方向）、蓋部材４０は第一弾発手段１００の弾発力に抗して回動して閉まって行き、蓋部材４０の係止部３５，３５が係合部２７，２７に対向する位置近傍まで来たときに前記当接支持部４９５，４９５と係止部２５，２５の係合が外れ、第二弾発手段１１０の弾発力によって蓋部材４０は奥側に移動して係止部３５，３５が係合部２７，２７に係合して図１に示す元の蓋部材４０を閉じた状態に戻り、この位置に固定される。つまり蓋部材４０を閉める際は蓋部材４０を下方向に押圧するだけで良い。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば取付部材１０や蓋部材４０を構成する各部品、及びその他の各部品・部材の形状・構造は種々の変更が可能である。
【００３３】
【発明の効果】
以上詳細に説明したように本発明によれば、蓋部材の開閉動作が容易、スムーズ且つ確実に行なえるという優れた効果を有する。
【図面の簡単な説明】
【図１】本発明の一実施形態にかかる部材挿入口開閉機構１の要部側断面図である。
【図２】部材挿入口開閉機構１を上側から見た分解斜視図である。
【図３】蓋部材４０を下側から見た斜視図である。
【図４】部材挿入口開閉機構１を下側から見た斜視図である。
【図５】図５（ａ）〜図５（ｃ）は部材挿入口開閉機構１の動作説明図である。
【符号の説明】
１  部材挿入口開閉機構
１０  取付部材
１１  蓋部材収納部
１２  部材収納部
１３  部材挿入口
１５  係止爪（係止手段）
１５１  係止部
１５３  押圧面
１７  係止爪
２５  係止部
２７  係合部（係止機構）
２９  開口
３１  係止部
３３  覆い部
３５  係止部（係止機構）
４０  蓋部材
４１  蓋部材本体
４３  弾発手段収納部
４７  開口
４８  第一弾発手段当接摺動部
４９  支持部
４９１  軸係止部（スライド機構）
４９３  第二弾発手段係止部
４９５  当接支持部
５０  係止解除手段
５１  ロック解除釦
５５  釦部
５７  作用部
５９  押圧部
６０  回転式電子部品
６１  回転つまみ
６３  回転式電子部品本体
７０  押釦式電子部品
７１  押釦
７３  押釦式電子部品本体
８０  押え板
８１  係止片（係止手段）
８５  規制棒係止部
９０  第三弾発手段
１００  第一弾発手段
１０１  コイル部
１０３，１０５  当接部
１１０  第二弾発手段
１２０  軸（スライド機構）
１３０  開度規制棒（開度規制手段）
１３５  第一係合部
１３７  第二係合部
１４０  固定用ネジ
２００  記録媒体（部材）
【図１】
0003916503.tif 000002
【図２】
0003916503.tif 000003
【図３】
0003916503.tif 000004
【図４】
0003916503.tif 000005
【図５】
0003916503.tif 000006